(57)【特許請求の範囲】
【請求項１】
風路内に放電電極と対向電極とを該放電電極が風上側に位置するよう対向して配置した空気清浄エレメントにおいて、前記対向電極は導電性を有する脱臭材を添着したフィルタから構成し、このフィルタを、フィルタに尖端が対面するように、且つ成型時に生じたエッジが上向きになるように設けられた多数の尖端放電極を有する前記放電電極に対して並行に可動しうるように配設するとともに、この放電電極に対し並行に可動するフィルタと同時に放電電極の上方の端縁部に対面する位置より並行に移動する、放電電極のための清掃部材を併せ設けたことを特徴とする空気清浄エレメント。
【請求項２】
フィルタをロール状となし、順次引出すことによりフィルタの清浄な面を前記放電電極に対向させるとともに、放電電極と対向する面に放電電極の清掃部材を所定の間隔において設けたことを特徴とする請求項１記載の空気清浄エレメント。
【請求項３】
風路内に放電電極と対向電極とを該放電電極が風上側に位置するよう対向して配置した空気清浄エレメントにおいて、前記対向電極は脱臭材を添着したフィルタの導電性保持枠から構成し、このフィルタ保持枠を、フィルタ保持枠に尖端が対面するように、且つ成型時に生じたエッジが上向きになるように設けられた多数の尖端放電極を有する前記放電電極に対して並行に可動しうるように配設するとともに、前記フィルタ保持枠の並行移動と同時に放電電極の上方の端縁部に対面する位置より並行に移動する、該放電電極のための清掃部材を該フィルタ保持枠に併せ設けたことを特徴とする空気清浄エレメント。
【請求項４】
前記清掃部材は、ブラシあるいはスポンジからなることを特徴とする請求項１乃至請求項３のいずれか１項に記載の空気清浄エレメント。
【請求項５】
前記清掃部材は、アルコール等の洗浄剤を含浸したことを特徴とする請求項１乃至請求項３のいずれか１項に記載の空気清浄エレメント。
【発明の詳細な説明】
【０００１】
【発明の属する技術分野】
本発明は、空気中の臭気ガス成分や塵埃等を除去し空気を清浄化する空気清浄エレメントに関するものである。
【０００２】
【従来の技術】
従来の空気清浄エレメントは、空気中の塵埃を除去するものとして、風上側に塵埃を帯電させるイオン化部（帯電部）を配置し、風下側に帯電された塵埃を捕集するコレクタ部（集塵部）を配置した電気集塵方式が用いられている。また、空気中の臭気ガス成分を除去するものとして、物理的あるいは化学的吸着法で吸着除去する脱臭フィルタが用いられている。
【０００３】
しかしながら、上記従来の空気清浄エレメントでは、イオン化部（帯電部）の放電極、対向電極、コレクタ部（集塵部）、脱臭フィルタをそれぞれメンテナンスしなければならないという問題を有しており、この不具合点を解消する手段として、例えば特開２０００−５１７３７号公報に、イオン化部の放電極を定期的に清掃する清掃装置が提案されている。
【０００４】
図９は、前記特開２０００−５１７３７号公報に開示された従来のイオン化部清掃装置の斜視図である。
図において、１０１は間隔をあけて対向して設けられた対向電極、１０２は前記対向電極１０１間にそれらと平行に張り渡して設けられたワイヤ状の放電電極、１０３は中心に軸穴１０５を持つロール状の清掃部材で、円筒状のコア１０３ａと、該コア１０３ａの外周に接着などで固着してなる環状の清掃パッド１０３ｂで形成され、前記ワイヤ状の放電電極１０２を挟んで一対設けられている。尚、該一対の清掃部材１０３は、前記ワイヤ状の放電電極１０２に沿って平行に設けられた送りねじ軸（図示せず）に係合された移動部材（図示せず）の一対の固定軸（図示せず）に、各々の軸穴１０５によって嵌合されている。１０４は前記ワイヤ状の放電電極１０２に付着したゴミである。
【０００５】
上記において、前記ワイヤ状の放電電極１０２の清掃時は、定期的にクリーニング駆動モータ（図示せず）を駆動して、前記送りねじ軸を回転する。該送りねじ軸の回転に伴って、送りねじ軸に係合された移動部材とともに該移動部材の固定軸に嵌合された前記清掃部材１０３が往復移動する。そして、該清掃部材１０３が往復移動する際に、前記ワイヤ状の放電電極１０２に前記清掃部材１０３の清掃パッド１０３ｂを押し当てながら摺動し、該清掃パッド１０３ｂで前記ワイヤ状の放電電極１０２に付着したゴミ１０４を拭き取る。
【０００６】
【発明が解決しようとする課題】
しかしながら、上記従来のエレメントでは、清掃部材をワイヤ状の放電電極の本数分設ける必要があり、構造が複雑になると同時にコストも高くなるという問題があった。また、対向電極、集塵部、脱臭フィルタは、それぞれ別々にメンテナンスの必要があり、非常に手間がかかるという問題があった。
【０００７】
本発明は、上記のような問題点を解消するためになされたもので、メンテナンスの手間を掛けない作業性の良い、構造がきわめて簡単で薄型に構成できる空気清浄エレメントを得ることを目的とするものである。
【０００８】
【課題を解決するための手段】
本発明に係る請求項１記載の空気清浄エレメントは、風路内に放電電極と対向電極とを該放電電極が風上側に位置するよう対向して配置した空気清浄エレメントにおいて、前記対向電極は導電性を有する脱臭材を添着したフィルタから構成し、このフィルタを、フィルタに尖端が対面するように、且つ成型時に生じたエッジが上向きになるように設けられた多数の尖端放電極を有する前記放電電極に対して並行に可動しうるように配設するとともに、この放電電極に対し並行に可動するフィルタと同時に放電電極の上方の端縁部に対面する位置より並行に移動する、放電電極のための清掃部材を併せ設けたものである。
【０００９】
また、請求項２記載の空気清浄エレメントは、フィルタをロール状となし、順次引出すことによりフィルタの清浄な面を前記放電電極に対向させるとともに、放電電極と対向する面に放電電極の清掃部材を所定の間隔において設けたものである。
【００１０】
また、請求項３記載の空気清浄エレメントは、風路内に放電電極と対向電極とを該放電電極が風上側に位置するよう対向して配置した空気清浄エレメントにおいて、前記対向電極は脱臭材を添着したフィルタの導電性保持枠から構成し、このフィルタ保持枠を、フィルタ保持枠に尖端が対面するように、且つ成型時に生じたエッジが上向きになるように設けられた多数の尖端放電極を有する前記放電電極に対して並行に可動しうるように配設するとともに、前記フィルタ保持枠の並行移動と同時に放電電極の上方の端縁部に対面する位置より並行に移動する、該放電電極のための清掃部材を該フィルタ保持枠に併せ設けたものである。
【００１１】
また、請求項４記載の空気清浄エレメントは、前記清掃部材がブラシあるいはスポンジからなるものである。
【００１２】
また、請求項５記載の空気清浄エレメントは、前記清掃部材にアルコール等の洗浄剤を含浸させたものである。
【００１３】
【発明の実施の形態】
以下、本発明の実施の形態を図を用いて説明する。
【００１４】
実施の形態１．
図１は本発明の実施の形態の一例を示す空気清浄エレメントの要部構造斜視図であり、図２は放電極の清掃時を模式的に表した断面図である。
図において、１は風路内の風上側に設けられる金属により形成される放電電極板、１ａは前記放電電極板１と一体で構成される複数の突起状の放電極で、前記放電電極板１を切り起こして製造される。２は前記放電電極板１に対向して風下側に設けられる対向電極としての集塵・脱臭フィルタで、活性炭等の導電性を有する脱臭材を前記放電電極板１に対向する面に添着した静電フィルタで構成され、ロール状になっている。尚、集塵・脱臭フィルタ２は、両側を例えば、コの字型の導電性レール（図示せず）で支持され、添着された導電性を有する脱臭材と電気的に接続されている。また、集塵・脱臭フィルタ２は、前記導電性レールに沿って前記放電電極板１に並行に可動するようになっている。３は前記集塵・脱臭フィルタ２の前記放電電極板１に対向する面の横方向に固着して設けられたブラシまたはスポンジの清掃部材で、前記放電電極板１の上方の端縁部と対向する位置に設けられ、そして、図２に示すように前記突起状の放電極１ａの先端部に接触する距離に位置している。４は前記放電極１ａに付着したゴミである。
【００１５】
放電極１ａは、一般的にはプレス加工により製作されるため、一方向へエッジ部が集中する。一般的にエッジ部の方が電界強度は高いため、放電が集中し、ゴミがエッジ部に集中して付着しやすくなる。従って、図３に示すように、エッジ部を上方に向けて設置することにより清掃部材との接触が良く、清浄度が向上する
尚、前記清掃部材３は、前記ロール状になっている集塵・脱臭フィルタ２に、予め前記放電電極板１に対向する導電性の脱臭材を添着した面に、該放電電極板１の高さの間隔で設けられている。また、前記清掃部材３には、ゴミの剥離をしやすくし清浄度が増すようにアルコール等の洗浄剤が含浸されており、該洗浄剤は自動的に前記清掃部材３に注入される構造（図示せず）となっている。
【００１６】
次に、図１、図２を用いて、この空気清浄エレメントの動作について説明する。
通常は、前記放電極１ａと集塵・脱臭フィルタ２間に、高電圧印加装置（図示せず）により直流またはパルス重畳の高電圧が印加されており、放電極１ａと集塵・脱臭フィルタ２間を通過する空気中の塵埃を帯電する。該帯電された塵埃は前記集塵・脱臭フィルタ２に集塵され、臭気成分は集塵・脱臭フィルタ２に添着された導電性の脱臭材に吸着され脱臭される。このように、空気中の塵埃、臭気成分は除去され、空気が清浄化される。そして、一定期間を経過すると、前記集塵・脱臭フィルタ２に塵埃、臭気成分が堆積するため、メンテナンスが必要となる。
そのときは、前記集塵・脱臭フィルタ２を図２に示すように下方に引き降ろすことにより、導電性レールに沿って集塵・脱臭フィルタ２が下降し、その際に該集塵・脱臭フィルタ２に設けられた前記清掃部材３が、前記放電極１ａと接触しながら該放電極１ａの先端部に付着したゴミ４を払拭する。その際、前記清掃部材３にはゴミの剥離をしやすくし清浄度が増すようにアルコール等の洗浄剤が含浸されているため、より効果的な清掃が行える。
そして、メンテナンス時に前記集塵・脱臭フィルタ２を順次下方に引き降ろすことにより、ロール状になっている新しい集塵・脱臭フィルタ２と入れ替わり、その際上述のように清掃部材３が放電極１ａの先端部に付着したゴミ４を払拭するとともに、集塵・脱臭フィルタ２のメンテナンスも併せて行われる。
【００１７】
以上のように、本実施の形態においては、風路内の風上側に設けられる前記放電電極板１と一体で構成される複数の突起状の放電極１ａと、前記放電電極板１に対向して風下側に設けられる対向電極を、活性炭等の導電性を有する脱臭材を前記放電電極板１に対向する面に添着して、そして、該対向する面に清掃部材３を設けて、ロール状とした集塵・脱臭フィルタ２で空気清浄エレメントを構成し、前記集塵・脱臭フィルタ２のメンテナンス時、該集塵・脱臭フィルタ２を順次下方に引き降ろすことにより、集塵・脱臭フィルタ２に設けられた清掃部材３が、前記放電極１ａの先端部に付着したゴミ４を払拭するとともに、ロール状になっている新しい集塵・脱臭フィルタ２と入れ替わるため、放電極１ａに付着したゴミ４の払拭が簡単にできるとともに、併せて集塵・脱臭フィルタ２のメンテナンスも手間を掛けずに簡単に行うことができるので作業性が非常に良く、また、構造が簡単で、かつ薄型に構成できる。
【００１８】
尚、上記の実施の形態では集塵・脱臭フィルタ２をロール状として構成したが、これに限られるものではなく、活性炭等の導電性を有する脱臭材を添着した静電フィルタで、清掃部材を設けた１枚の集塵・脱臭フィルタとして構成してもよい。
【００１９】
また、上記の実施の形態では清掃部材３にアルコール等の洗浄剤を含浸しているが、これに限られるものではない。
【００２０】
実施の形態２.
図４は、上記の実施の形態１で上述した空気清浄エレメントを家電機器例えばルームエアコンに応用した例を示す構成図であり、図では、上述した１枚の集塵・脱臭フィルタを例に示している。図５は、図４のルームエアコンに応用した例のメンテナンス時の状態を示す図である。
尚、実施の形態１と同一又は相当部分には同一符号を付し説明を省略する。
図において、５はルームエアコン室内機本体、６はファン、７は熱交換器、８は前面グリルである。そして、該前面グリル８の内側の風路内の風上側から順に放電電極板１、対向電極の集塵・脱臭フィルタ２が設けられている。尚、集塵・脱臭フィルタ２は、実施の形態１で説明したように両側を例えば、コの字型の導電性レール（図示せず）で支持され、該導電性レールに沿って放電電極板１に並行に可動するようになっている。また、清掃部材３には、ゴミの剥離をしやすくし清浄度が増すようにアルコール等の洗浄剤が含浸されており、該洗浄剤は自動的に前記清掃部材３に注入される構造（図示せず）となっている。
【００２１】
通常は、上記実施の形態１で説明したように、放電極１ａと集塵・脱臭フィルタ２間に、高電圧印加装置（図示せず）により直流またはパルス重畳の高電圧が印加されており、ファン６により前面グリル８を通して吸い込まれた室内空気が前記放電極１ａと集塵・脱臭フィルタ２間を通過する際、室内空気中の塵埃を帯電する。該帯電された塵埃は前記集塵・脱臭フィルタ２に集塵され、臭気成分は集塵・脱臭フィルタ２に添着された導電性の脱臭材に吸着され脱臭される。このように、室内空気中の塵埃、臭気成分は除去され、空気が清浄化される。
そして、メンテナンス時は図５に示すように、前面グリル８を開き、集塵・脱臭フィルタ２を導電性レールに沿って下方に引き降ろすことにより、集塵・脱臭フィルタ２に設けられた清掃部材３が、前記放電極１ａと接触しながら放電極１ａの先端部に付着したゴミ（図示せず）を払拭する。その際、前記清掃部材３にはゴミの剥離をしやすくし清浄度が増すようにアルコール等の洗浄剤が含浸されているため、より効果的な清掃が行える。メンテナンス後は、新たな集塵・脱臭フィルタを導電性レールに装着する。
【００２２】
以上のように、対向電極としての１枚の集塵・脱臭フィルタ２で構成される空気清浄エレメントを本実施の形態のルームエアコンに応用した場合においても、放電極１ａに付着したゴミの払拭と、集塵・脱臭フィルタ２のメンテナンスを手間を掛けずに簡単に行うことができ、作業性、使い勝手がよい。また、構造が簡単で薄型に構成できるため、大きなスペースを取らずに適用できる。
【００２３】
尚、上記実施の形態においては、１枚の集塵・脱臭フィルタ２で構成される空気清浄エレメントをルームエアコンに応用した例を示したが、これに限られるものではなく、上記実施の形態１におけるロール状の集塵・脱臭フィルタで構成される空気清浄エレメントを応用してもよい。その場合においても上記と同様の効果を有する。
【００２４】
また、上記実施の形態においては、ルームエアコンへの応用例を示したが、これに限られるものではない。
【００２５】
実施の形態３.
図６は本発明の実施の形態３による空気清浄エレメントの構造斜視図である。尚、実施の形態１と同一又は相当部分には同一符号を付し説明を省略する。
図において、２は臭気成分を吸着分解する脱臭材を放電電極板１に対向する面に添着した集塵・脱臭フィルタ、９は放電電極板１に対向して風下側に設けられる前記集塵・脱臭フィルタ２の保持枠を兼用する導電性樹脂、樹脂に金属メッキしたもの、あるいは金属による対向電極で、該対向電極９は、保持枠の内側の前記放電電極板１に対向する面に導電材の線９´が網目状に設けられており、また、保持枠に尖端が対面するように、且つ成型時に生じたエッジが上向きになるように設けられた多数の尖端放電極を有する前記放電電極１に対向する面の上部の横方向に清掃部材３が設けられた構成となっている。そして、前記対向電極９は該対向電極９の両側に設けられる、例えばコの字型の導電性レール（図示せず）に沿って前記放電電極板１に並行に上下に可動するようになっている。尚、前記網目状の導電材の線９´の部分は、該網目状の導電材の線９´の部分の上部のところから前面に開口できるようになっている。また、前記清掃部材３には、ゴミの剥離をしやすくし清浄度が増すようにアルコール等の洗浄剤が含浸されており、該洗浄剤は自動的に前記清掃部材３に注入される構造（図示せず）となっている。
【００２６】
通常は、前記放電極１ａと対向電極９間に、高電圧印加装置（図示せず）により直流またはパルス重畳の高電圧が印加されており、前記放電極１ａと対向電極９間を通過する空気中の塵埃を帯電する。該帯電された塵埃は、前記対向電極９の保持枠内に装着された集塵・脱臭フィルタ２に集塵され、臭気成分は集塵・脱臭フィルタ２に添着された脱臭材に吸着され脱臭される。このように、空気中の塵埃、臭気成分は除去され、空気が清浄化される。そして、一定期間を経過すると、前記集塵・脱臭フィルタ２に塵埃、臭気成分が堆積するため、メンテナンスが必要となる。
そのときは、前記対向電極９の保持枠を導電性レールに沿って下方に引き降ろし、該対向電極９の網目状の導電材の線９´の部分を前面に開き新たな集塵・脱臭フィルタを保持枠内に装着させる。装着後、導電性レールに沿って前記対向電極９の保持枠を上方に押し戻す。そして、前記対向電極９の保持枠を下方に引き降ろす際に、該対向電極９の上部に設けられた前記清掃部材３が前記放電極１ａと接触しながら放電極１ａの先端部に付着したゴミ（図示せず）を払拭する。その際、前記清掃部材３にはゴミの剥離をしやすくし清浄度が増すようにアルコール等の洗浄剤が含浸されているため、より効果的な清掃が行える。
【００２７】
以上のように、本実施の形態においては、風路内の風上側に設けられる前記放電電極板１と一体で構成される複数の突起状の放電極１ａと、前記放電電極板１に対向して風下側に設けられ脱臭材を添着した集塵・脱臭フィルタ２の保持枠を兼用し、前記放電電極板１に対向する面の上部に清掃部材３を設けた導電性の対向電極９により空気清浄エレメントを構成し、前記対向電極９を下方に引き降ろすことにより、該対向電極９の上部に設けた清掃部材３により、前記放電極１ａの先端部に付着したゴミの払拭を簡単に行うことができ、前記集塵・脱臭フイルタ２のメンテナンスも手間を掛けずに簡単に新たな集塵・脱臭フィルタと交換できるので作業性が良い。また、前記対向電極９を導電性の対向電極にしたことにより、上記実施の形態１の導電性を有する脱臭材を添着したフィルタの対向電極より、安定した放電が得られるものである。
【００２８】
図７（ａ）、（ｂ）は、上記の実施の形態３による空気清浄エレメントを家電機器例えばルームエアコンに応用した例のメンテナンス時の状態を示す図である。尚、実施の形態２と同一又は相当部分には同一符号を付し説明を省略する。
図において、９は集塵・脱臭フィルタ２の保持枠を兼用し、上部に清掃部材３が設けられた導電性の対向電極で、該保持枠内に集塵・脱臭フィルタ２（図示せず）が装着されている。９´は前記対向電極９の網目状の導電材の線の部分を示し、該部分が前面に開口した状態を示す。１０は前記対向電極９を放電電極板１に並行に上下に可動させるための、例えばコの字型の導電性レールである。尚、清掃部材３には、ゴミの剥離をしやすくし清浄度が増すようにアルコール等の洗浄剤が含浸されており、該洗浄剤は自動的に前記清掃部材３に注入される構造（図示せず）となっている。
【００２９】
通常は、放電極１ａと対向電極９間に、高電圧印加装置（図示せず）により直流またはパルス重畳の高電圧が印加されており、ファン６により前面グリル８を通して吸い込まれた室内空気が前記放電極１ａと対向電極９間を通過する際、室内空気中の塵埃を帯電する。該帯電された塵埃は前記対向電極９の保持枠内に装着された集塵・脱臭フィルタ２に集塵され、臭気成分は集塵・脱臭フィルタ２に添着された脱臭材に吸着され脱臭される。
そして、メンテナンス時は図７に示すように、前面グリル８を開き、前記対向電極９の保持枠を前記導電性レール１０に沿って下方に引き降ろし、該対向電極９の網目状の導電材の線の部分９´を開き、新たな集塵・脱臭フィルタを保持枠内に装着させる。装着後、導電性レール１０に沿って前記対向電極９の保持枠を上方に押し戻す。そして、前記対向電極９の保持枠を下方に引き降ろす際に、該対向電極９の上部に設けられた前記清掃部材３が前記放電極１ａと接触しながら放電極１ａの先端部に付着したゴミ（図示せず）を払拭する。その際、前記清掃部材３にはゴミの剥離をしやすくし清浄度が増すようにアルコール等の洗浄剤が含浸されているため、より効果的な清掃が行える。
【００３０】
以上のように、集塵・脱臭フィルタ２の保持枠を兼用する導電性の対向電極で構成される空気清浄エレメントをルームエアコンに応用した場合においても、放電極１ａに付着したゴミの払拭が簡単に行え、集塵・脱臭フィルタ２のメンテナンスも手間を掛けずに簡単に行うことができ、作業性、使い勝手がよい。また、構造が簡単なため、大きなスペースを取らずに適用できる。
【００３１】
また、上記実施の形態においては、ルームエアコンへの応用例を示したが、これに限られるものではない。
【００３２】
実施の形態４.
図８は本発明の実施の形態４による空気清浄エレメントの構造斜視図である。尚、実施の形態１と同一又は相当部分には同一符号を付し説明を省略する。
図８において、１１はタングステン等の材料で形成される複数本のワイヤ状の放電電極、１２は前記ワイヤ状の放電電極１１を平行に支持する絶縁体で形成される支持枠で、該支持枠１２に前記ワイヤ状の放電電極１１が上下方向に配置されている。尚、前記支持枠１２の上下方向に配置されたワイヤ状の放電電極１１は、前記支持枠１２中で直列に接続（図示せず）されており、該ワイヤ状放電電極１１の一端と、集塵・脱臭フィルタ２間に、直流またはパルス重畳の高電圧が印加されるようになっている。
【００３３】
以上のように構成された本実施の形態は、上記実施の形態１で示した放電電極の別の形態を示すものであり、前記集塵・脱臭フィルタ２のメンテナンス時、該集塵・脱臭フィルタ２を順次下方に引き降ろすことにより、集塵・脱臭フィルタ２に設けられた清掃部材３が、前記ワイヤ状の放電電極１１に付着したゴミ（図示せず）を払拭するとともに、ロール状になっている新しい集塵・脱臭フィルタ２と入れ替わり、集塵・脱臭フィルタ２のメンテナンスも併せて行われるため、上記実施の形態１と同様の効果を有するものである。
【００３４】
尚、上記の実施の形態では集塵・脱臭フィルタ２をロール状として構成したが、これに限られるものではなく、活性炭等の導電性を有する脱臭材を添着した静電フィルタで、清掃部材を設けた１枚の集塵・脱臭フィルタとして構成してもよい。
【００３５】
また、上記の実施の形態では清掃部材３にアルコール等の洗浄剤を含浸しているが、実施の形態１同様これに限られるものではない。
【００３６】
【発明の効果】
以上のように本発明に係る請求項１の空気清浄エレメントは、放電電極と対向電極とを該放電電極が風上側に位置するよう対向して配置し、前記対向電極は導電性を有する脱臭材を添着したフィルタから構成したので、構造が簡単で、かつ薄型に構成できる空気清浄エレメントが得られ、
また、フィルタを、尖端がフィルタに対面するように、且つ成型時に生じたエッジが上向きになるように設けられた多数の尖端放電極を有する前記放電電極１に対し並行に可動しうるようにして、該放電電極に対向する面の上部の横方向に清掃部材を設けたので、放電電極、対向電極のメンテナンスが併せて行うことができる作業性の良い空気清浄エレメントを提供できる。さらに、構造が簡単で、薄型に構成できるため、家電機器等への応用においても、大きなスペースを取らずに適用できるものである。
【００３７】
また、請求項１の空気清浄エレメントは、清掃部材を放電電極の上方の端縁部と対向する位置に設けたので、放電電極に対し並行に可動することによって、効率よく放電電極に付着したゴミの払拭を手間を掛けずに簡単に行うことができる。
【００３８】
また、請求項２の空気清浄エレメントは、フィルタをロール状となし、順次引出すことによりフィルタの導電性を有する脱臭材を添着した面を放電電極に対向させ、そして、該対向する面に放電電極の清掃部材を所定の間隔において設けたので、該ロール状のフィルタをメンテナンス時に順次引出すことにより、放電電極に付着したゴミの払拭ができるとともに、併せてフィルタのメンテナンスも手間を掛けずに簡単に行うことができるので作業性、使い勝手がよい。
【００３９】
また、請求項３の空気清浄エレメントは、放電電極と対向電極とを該放電電極が風上側に位置するよう対向して配置し、前記対向電極は脱臭材を添着したフィルタの導電性保持枠から構成したので、上記請求項１の導電性を有する脱臭材を添着したフィルタの対向電極より、安定した放電が得られ、また、フィルタの保持枠を、尖端がフィルタに対面するように、且つ成型時に生じたエッジが上向きになるように設けられた多数の尖端放電極を有する放電電極に対し並行に可動しうるようにして、放電電極と対向する面に該放電電極の清掃部材を設けたので、放電電極の尖端放電極に効率よく付着したゴミの払拭が手間を掛けずに簡単に行うことができる。さらに、構造が簡単なため、家電機器等への応用においても、大きなスペースを取らずに適用できるものである。
【００４０】
また、請求項４の空気清浄エレメントは、清掃部材をブラシあるいはスポンジに形成したので、構造が簡単で、放電極に付着したゴミの払拭を簡単に行うことができ、また、付着したゴミの払拭性が良い。
【００４１】
また、請求項５の空気清浄エレメントは、清掃部材にアルコール等の洗浄剤を含浸させたので、メンテナンス時に放電極に付着したゴミの剥離がしやすくなり、より効果的に放電極の清掃をすることができ、放電極の清浄度が増す。
【図面の簡単な説明】
【図１】  この発明の実施の形態１における空気清浄エレメントの要部構造斜視図である。
【図２】  この発明の実施の形態１における放電極の清掃時を模式的に表した断面図である。
【図３】  図２の他の放電極の例における放電極の清掃時を模式的に表した断面図である。
【図４】  この発明の実施の形態２における空気清浄エレメントを応用したルームエアコンの構成図である。
【図５】  図４における空気清浄エレメントのメンテナンス時の状態を示す図である。
【図６】  この発明の実施の形態３における空気清浄エレメントの要部構造斜視図である。
【図７】  図６の空気清浄エレメントを応用したルームエアコンのメンテナンス時の状態を示す図である。
【図８】  この発明の実施の形態４における空気清浄エレメントの要部構造斜視図である。
【図９】  従来の放電極を清掃する清掃装置の斜視図である。
【符号の説明】
１  放電電極板、  １ａ  放電極、  ２  集塵・脱臭フィルタ、  ３  清掃部材、  ４  付着ゴミ、  ５  ルームエアコン室内機本体、  ６  ファン、  ７  熱交換器、  ８  前面グリル、  ９  対向電極、  １１  ワイヤ状の放電電極、  １２  支持枠。
【図１】
0003817667.tif 000002
【図２】
0003817667.tif 000003
【図３】
0003817667.tif 000004
【図４】
0003817667.tif 000005
【図５】
0003817667.tif 000006
【図６】
0003817667.tif 000007
【図７】
0003817667.tif 000008
【図８】
0003817667.tif 000009
【図９】
0003817667.tif 000010